(57)【要約】【課題】表示装置における処理量を抑制しつつ、表示装置におけるバックライトの制御を可能にすることのできる映像信号供給装置を提供する。【解決手段】本発明の一態様に係るＰＣ（２０）は、テレビ（１０）に表示させる表示画像を含む映像信号を供給する通信部（２３０）と、テレビ（１０）のバックライト（１３２）の点灯パターンを制御するためのＢＬ点灯パターン画像を生成するＢＬ点灯パターン画像生成部（２１５）と、を備え、通信部（２３０）は、ＢＬ点灯パターン画像と表示画像とを映像信号として供給する。【選択図】図１
2014066928.tif 000002
【特許請求の範囲】
【請求項１】
表示装置に表示させる表示画像を含む映像信号を当該表示装置に供給する供給手段と、
上記表示装置のバックライトの点灯パターンを制御するための制御画像を生成する制御画像生成手段と、を備え、
上記供給手段は、上記表示画像と上記制御画像とを上記映像信号として供給する、
ことを特徴とする映像信号供給装置。
【請求項２】
上記制御画像と上記表示画像とを合成する合成手段をさらに備え、
上記供給手段は、上記合成手段によって合成された合成画像を上記映像信号として供給する、
ことを特徴とする請求項１に記載の映像信号供給装置。
【請求項３】
上記制御画像を、上記表示画像のフレーム間に挿入する挿入手段をさらに備え、
上記供給手段は、上記挿入手段によって上記表示画像のフレーム間に挿入された上記制御画像を、上記表示画像と共に上記映像信号として供給する、
ことを特徴とする請求項１に記載の映像信号供給装置。
【請求項４】
上記制御画像生成手段は、上記表示装置のバックライトを構成する光源の数に基づいて上記制御画像を生成する、
ことを特徴とする請求項１から３の何れか１項に記載の映像信号供給装置。
【請求項５】
入力される映像信号から、表示画像と、バックライトの点灯パターンを制御するための制御画像とを分離する分離手段と、
上記分離手段によって分離された上記表示画像を表示部に表示する表示手段と、
上記分離手段によって分離された上記制御画像に基づいて上記表示部のバックライトを制御するバックライト制御手段と、を備えている、
ことを特徴とする表示装置。
【請求項６】
請求項５に記載の表示装置を備えている、ことを特徴とするテレビジョン受像機。
【請求項７】
請求項１から４の何れか１項に記載の映像信号供給装置と、
請求項５に記載の表示装置と、を備えている、
ことを特徴とする表示システム。
【請求項８】
映像信号供給装置の映像信号供給方法であって、
表示装置に表示させる表示画像を含む映像信号を当該表示装置に供給する供給ステップと、
上記表示装置のバックライトの点灯パターンを制御するための制御画像を生成する制御画像生成ステップと、を備え、
上記供給ステップにおいて、上記表示画像と上記制御画像とを上記映像信号として供給する、
ことを特徴とする映像信号供給方法。
【請求項９】
表示装置の表示方法であって、
入力される映像信号から、表示画像と、バックライトの点灯パターンを制御するための制御画像とを分離する分離ステップと、
上記分離ステップにおいて分離された上記表示画像を表示部に表示する表示ステップと、
上記分離ステップにおいて分離された上記制御画像に基づいて上記表示部のバックライトを制御するバックライト制御ステップと、を含んでいる、
ことを特徴とする表示方法。
【請求項１０】
請求項１から４の何れか１項に記載の映像信号供給装置が備えているコンピュータを動作させるプログラムであって、上記コンピュータを上記の各手段として機能させるためのプログラム。
【請求項１１】
請求項５に記載の表示装置が備えているコンピュータを動作させるプログラムであって、上記コンピュータを上記の各手段として機能させるためのプログラム。
【請求項１２】
請求項１０または１１に記載のプログラムを記録したコンピュータ読み取り可能な記録媒体。
【発明の詳細な説明】
【技術分野】
【０００１】
本発明は、映像信号供給装置、映像信号供給装置から出力される映像信号を表示する表示装置、テレビジョン受像機、および、映像信号供給装置と表示装置とを含む表示システムに関する。また、映像信号供給装置の映像信号供給方法、表示装置の表示方法、映像信号供給装置を動作させるためのプログラム、表示装置を動作させるためのプログラム、および、これらのプログラムが記録されている記録媒体に関する。
【背景技術】
【０００２】
従来、直下型のバックライトを有する表示パネルを備える表示装置では、入力される映像信号に基づいてバックライトの点灯パターンを変化させることで、表示画像の高画質化および消費電力削減を実現している。このように、入力される映像信号に基づきバックライトの点灯パターンを制御しながら表示パネルを駆動する方法は、ローカルディミング（あるいは、エリアアクティブ駆動）などと呼ばれる。
【０００３】
例えば、特許文献１には、バックライトを複数のバックライトセルに分割し、各バックライトセルに対応する液晶パネルの表示領域毎に検出した最大輝度情報と領域黒面積とに応じて、各バックライトセルの発光量を決定する画像表示装置が記載されている。
【０００４】
特許文献２には、ローカルディミングを行う液晶表示装置において、バックライトの点灯パターンの制御に加えて、液晶パネルの駆動に必要な電力を低減させることにより低消費電力化を図る技術が開示されている。
【０００５】
特許文献３には、テレビジョン映像を表示するモードとコンピュータ映像を表示するモードとを切換可能に構成された画像表示装置において、モードの切換指示に連動して、バックライト光源の発光輝度を可変制御する技術が開示されている。
【０００６】
また、特許文献４には、表示装置のバックライトの輝度調整に、ユーザが好みに合わせて選択した明るさを示す外部設定輝度信号を反映させる技術が開示されている。
【先行技術文献】
【特許文献】
【０００７】
【特許文献１】特開２０１２−１１８４１９号公報（２０１２年６月２１日公開）
【特許文献２】特開２０１２−７８６９９号公報（２０１２年４月１９日公開）
【特許文献３】特開２００６−１１３６６号公報（２００６年１月１２日公開）
【特許文献４】特開２００９―１３４２３７号公報（２００９年６月１８日公開）
【発明の概要】
【発明が解決しようとする課題】
【０００８】
しかし、特許文献１〜３に記載の技術では、何れも、バックライトの点灯パターンを算出するために、表示装置において複雑な演算を、入力される映像信号に対してリアルタイムで処理しなければならない。このため、表示装置にバックライトの点灯パターンを算出するための演算機能が必要となり、表示装置における処理量が増大してしまうという課題があった。また、映像信号供給装置と表示装置が一体では無い場合に、表示装置の演算機能だけでは、最適な点灯パターンを算出することができない場合があるという課題があった。
【０００９】
本発明は、上記の課題を解決するためになされたものであり、その目的は、表示装置における処理量を抑制しつつ、表示装置における最適なバックライトの制御を可能にすることのできる映像信号供給装置を、提供することにある。
【課題を解決するための手段】
【００１０】
本発明の一態様に係る映像信号供給装置は、上記の課題を解決するために、表示装置に表示させる表示画像を含む映像信号を当該表示装置に供給する供給手段と、上記表示装置のバックライトの点灯パターンを制御するための制御画像を生成する制御画像生成手段と、を備え、上記供給手段は、上記表示画像と上記制御画像とを上記映像信号として供給する、ことを特徴としている。
【００１１】
本発明の一態様に係る映像信号供給装置の映像信号供給方法は、上記の課題を解決するために、映像信号供給装置の映像信号供給方法であって、表示装置に表示させる表示画像を含む映像信号を当該表示装置に供給する供給ステップと、上記表示装置のバックライトの点灯パターンを制御するための制御画像を生成する制御画像生成ステップと、を備え、上記供給ステップにおいて、上記表示画像と上記制御画像とを上記映像信号として供給する、ことを特徴としている。
【００１２】
本発明の一態様に係る表示装置は、上記の課題を解決するために、入力される映像信号から、表示画像と、バックライトの点灯パターンを制御するための制御画像とを分離する分離手段と、上記分離手段によって分離された上記表示画像を表示部に表示する表示手段と、上記分離手段によって分離された上記制御画像に基づいて上記表示部のバックライトを制御するバックライト制御手段と、を備えている、ことを特徴としている。
【００１３】
本発明の一態様に係る表示装置の表示方法は、上記の課題を解決するために、表示装置の表示方法であって、入力される映像信号から、表示画像と、バックライトの点灯パターンを制御するための制御画像とを分離する分離ステップと、上記分離ステップにおいて分離された上記表示画像を表示部に表示する表示ステップと、上記分離ステップにおいて分離された上記制御画像に基づいて上記表示部のバックライトを制御するバックライト制御ステップと、を含んでいる、ことを特徴としている。
【００１４】
また、上記表示装置を備えていることを特徴とするテレビジョン受像機、および、上記映像信号供給装置と上記表示装置とを備えていることを特徴とする表示システムも、本発明の範疇に含まれる。
【００１５】
また、本発明の一態様に係る映像信号供給装置を動作させるためのプログラムであって、コンピュータを上記の各手段として機能させることを特徴とするプログラム、本発明の一態様に係る表示装置を動作させるためのプログラムであって、コンピュータを上記の各手段として機能させることを特徴とするプログラム、及び、これらのプログラムを記録したコンピュータ読み取り可能な記録媒体もまた、本発明の範疇に含まれる。
【発明の効果】
【００１６】
上記の構成によれば、上記表示装置における処理量を抑制しつつ、当該表示装置における最適なバックライトの制御を可能にすることができる。
【図面の簡単な説明】
【００１７】
【図１】本発明の一実施形態に係る表示システムの備えるＰＣの構成の概略を示すブロック図である。
【図２】本発明の一実施形態に係る表示システムの構成の概略を示す概観図である。
【図３】本発明の一実施形態に係る表示システムの備えるテレビの構成の概略を示すブロック図である。
【図４】本発明の一実施形態に係る表示システムの備えるＰＣにおける合成画像生成処理の流れを示すフローチャートである。
【図５】本発明の一実施形態に係る表示システムの備えるＰＣにおいて生成される合成画像の一例を示す図であり、（ａ）は表示画像の一例を示し、（ｂ）はＢＬ点灯パターン画像の一例を示し、（ｃ）は合成画像の一例を示している。
【図６】本発明の一実施形態に係る表示システムの備えるテレビにおける表示処理の流れを示すフローチャートである。
【図７】本発明の一実施形態に係る表示システムの備えるテレビにおいて表示される表示画面の一例を示す図であり、（ａ）は合成画像の一例を示し、（ｂ）は表示画像データの一例を示し、（ｃ）はＢＬ表示パターン画像の一例を示し、（ｄ）は最終的に表示される表示画面の一例を示している。
【図８】本発明の一実施形態に係る表示システムの動作を示すシーケンス図である。
【図９】本発明の他の実施形態に係る表示システムの備えるＰＣの構成の概略を示すブロック図である。
【図１０】本発明の他の実施形態に係る表示システムの備えるＰＣにおいてＢＬ点灯パターン画像の挿入された映像信号の一例を示す図であり、（ａ）は表示画像の一例を示し、（ｂ）はＢＬ点灯パターン画像の一例を示し、（ｃ）はＢＬ点灯パターン画像の挿入された映像信号の一例を示している。
【図１１】本発明の他の実施形態に係る表示システムの備えるテレビにおいて表示される表示画面の一例を示す図であり、（ａ）は供給される映像信号の一例を示し、（ｂ）は表示画像の一例を示し、（ｃ）はＢＬ表示パターン画像の一例を示し、（ｄ）は最終的に表示される表示画面の一例を示している。
【発明を実施するための形態】
【００１８】
＜実施形態１＞
本発明の一実施形態に係る表示システムについて、図１から図８を参照して説明する。但し、この実施形態に記載されている構成は、特に特定的な記載がない限り、この発明の範囲をそれのみに限定する趣旨ではなく、単なる説明例に過ぎない。
【００１９】
〔表示システム〕
まず、本実施形態に係る表示システムの構成について、図２を参照して説明する。図２は、本実施形態に係る表示システム１の構成の概略を示す概観図である。
【００２０】
図２に示すように、本実施形態に係る表示システム１は、コンテンツを表示するテレビ１０（表示装置）、及び、パーソナルコンピュータ２０（映像信号供給装置）（以降、単にＰＣとも記載する）を備えている。なお、コンテンツとは、動画像、静止画像、音声などを含むデータである。
【００２１】
また、テレビ１０およびＰＣ２０は、図２に示すように、ＨＤＭＩ（High-Definition Multimedia Interface）ケーブル３０によって有線接続されている。なお、本実施形態では、テレビ１０およびＰＣ２０を有線接続する通信ケーブルが、ＨＤＭＩケーブル３０によって実現されている場合を例に挙げて説明するが、通信ケーブルはこれに限定されるものではない。例えば、ＵＳＢ（Universal Serial Bus）、ＩＥＥＥ１３９４、および、ＬＡＮなどの有線接続用ケーブルによって通信ケーブルが実現されている構成を採用してもよい。
【００２２】
また、本実施形態では、テレビ１０およびＰＣ２０は、ＨＤＭＩケーブル３０によって有線接続されている構成を例に挙げて説明するが、これに限定されるものではなく、テレビ１０とＰＣ２０とが無線接続されている構成を採用してもよい。なお、無線接続としては、例えば、ＷｉＦｉ−Ｄｉｓｐｌａｙ、Ｂｌｕｅｔｏｏｔｈ（登録商標）、および、赤外線通信などを用いて無線接続する構成を挙げることができるが、これに限定されるものではない。
【００２３】
〔ＰＣの構成〕
次に、本実施形態に係る表示システム１の備えるＰＣ２０について、図１を参照して説明する。図１は、本実施形態に係る表示システム１の備えるＰＣ２０の構成の概略を示すブロック図である。
【００２４】
ＰＣ２０は、外部から入力される映像データを、テレビ１０に供給する。ＰＣ２０は、図１に示すように、制御部２１０、メモリ２２０、及び、通信部２３０（供給手段）を備えている。
【００２５】
（通信部）
通信部２３０は、テレビ１０を有線接続するためのＨＤＭＩインターフェースであり、ＨＤＭＩケーブル３０を介してテレビ１０と有線通信を行う。なお、本実施形態では、通信部２３０がＨＤＭＩインターフェースである場合を例に挙げて説明するが、これに限定されるものではない。例えば、通信部２３０は、ＵＳＢ、ＩＥＥＥ１３９４、および、ＬＡＮなどの有線接続用インターフェースに置換することが可能である。
【００２６】
また、本実施形態では、通信部２３０が有線接続するためのインターフェースである場合を例に挙げて説明したが、これに限定されるものではなく、無線接続するためのインターフェースであってもよい。なお、通信部２３０が無線通信するためのインターフェースである場合の無線通信としては、例えば、ＷｉＦｉ、赤外線通信、ＴｒａｎｓｆｅｒＪｅｔ、Ｂｌｕｅｔｏｏｔｈ（登録商標）、及び、ＩＥＥＥ８０２．１１などを挙げることができる。
【００２７】
通信部２３０は、表示画像とＢＬ点灯パターン画像とを映像信号としてテレビ１０に供給する。なお、表示画像およびＢＬ点灯パターン画像の詳細については、後述する。
【００２８】
（メモリ）
メモリ２２０は、制御部２１０によって実行されるプログラムなどの固定データが格納される、読み出し可能かつ書き込み不能なメモリ（例えば、ＲＯＭ）、および、制御部２１０が演算のために参照するデータや、制御部２１０が演算によって生成したデータなどの可変データが格納される、読み出し可能かつ書き込み可能なメモリ（例えば、ＲＡＭ）を含んで構成される。
【００２９】
また、メモリ２２０を構成するＲＡＭには、図１に示すように、表示画像格納領域２２１、および、ＢＬ点灯パターン画像格納領域２２２を有している。なお、表示画像格納領域２２１およびＢＬ点灯パターン画像格納領域２２２の容量は、後述する制御部２１０のメモリ容量算出部２１３によって、適宜確保される。
【００３０】
表示画像格納領域２２１は、制御部２１０の備える表示画像生成部２１４によって生成される表示画像を格納するメモリ２２０上の領域である。また、ＢＬ点灯パターン画像格納領域２２２は、制御部２１０の備えるＢＬ点灯パターン画像生成部２１５によって生成されるＢＬ点灯パターン画像を格納するメモリ２２０上の領域である。なお、制御部２１０の備える表示画像生成部２１４およびＢＬ点灯パターン画像格納領域２２２の詳細については、後述する。
【００３１】
（制御部）
制御部２１０は、メモリ２２０に格納されているプログラムを実行することにより、ＰＣ２０の備える各部を統括的に制御する。
【００３２】
また、制御部２１０は、テレビ１０において表示される表示画像と、テレビ１０の備えるバックライト１３２の点灯パターンを示すＢＬ点灯パターン画像とを合成した合成画像を生成する。制御部２１０は、生成した合成画像を映像信号として、通信部２３０を介してテレビ１０に供給する。なお、テレビ１０およびバックライト１３２については、図面を変えて後述する。
【００３３】
制御部２１０は、合成画像を生成するため、図１に示すように、情報取得部２１１、フォーマット設定部２１２、メモリ容量算出部２１３、表示画像生成部２１４、ＢＬ点灯パターン画像生成部２１５（制御画像生成手段）、および、合成部２１６（合成手段）を備えている。
【００３４】
（情報取得部）
情報取得部２１１は、通信部２３０を介して接続されているテレビ１０の情報を取得する。情報取得部２１１の取得するテレビ１０の情報としては、例えば、テレビ１０の備えるディスプレイ（ＬＣＤ１１０）のサイズ、テレビ１０の対応する解像度、バックライト１３２を構成する光源の個数などを挙げることができる。
【００３５】
なお、本実施形態では、テレビ１０は、ＬＣＤ１１０のサイズ、対応する解像度、バックライト１３２を構成する光源の個数などの情報を、テレビ１０の性能、特性などを示すＥＤＩＤ（Extended Display Identification Data）のデータの一つとして有していればよい。これによって、情報取得部２１１は、通信部２３０に接続されているＨＤＭＩケーブル３０のＤＤＣ（Display Data Channel）ラインを介してテレビ１０のＥＤＩＤを読み出すことにより、テレビ１０の情報を取得することができる。
【００３６】
また、情報取得部２１１によるテレビ１０のＥＤＩＤの読み出しは、例えば、ＰＣ２０によってテレビ１０の接続が検出されたとき、並びに、ＰＣ２０およびテレビ１０が起動（つまり、電源ＯＮ状態に遷移）したときなどに行われればよい。
【００３７】
（フォーマット設定部）
フォーマット設定部２１２は、情報取得部２１１によって取得したテレビ１０のＬＣＤ１１０のサイズ、対応する解像度などに基づいて、テレビ１０に供給する映像信号に含まれる表示画像のフォーマットを決定する。フォーマット設定部２１２は、決定した表示画像のフォーマットを表示画像生成部２１４、および、ＢＬ点灯パターン画像生成部２１５に通知する。
【００３８】
また、フォーマット設定部２１２は、決定した表示画像のフォーマットをテレビ１０に通知する。このとき、フォーマット設定部２１２は、例えば、決定した表示装置のフォーマットをＨＤＭＩケーブル３０のＣＥＣラインを介してテレビ１０に供給すればよい。これによって、テレビ１０は、ＰＣ２０から供給される映像信号に含まれる表示画像のフォーマットを予め知ることができる。
【００３９】
なお、テレビ１０が、予め定められた所定のフォーマット以外のフォーマットの表示画像を表示することができない場合には、フォーマット設定部２１２は表示画像のフォーマットをテレビ１０に通知しなくともよい。この場合には、フォーマット設定部２１２は、テレビ１０が表示可能な所定のフォーマットを表示画像生成部２１４およびＢＬ点灯パターン画像生成部２１５に通知すればよい。また、ＰＣ２０は、この所定のフォーマットで生成された表示画像を含む映像信号を供給すればよい。
【００４０】
（メモリ容量算出部）
メモリ容量算出部２１３は、情報取得部２１１によって取得したテレビ１０の情報およびフォーマット設定部２１２によって決定した表示画像のフォーマットに基づき、表示画像格納領域２２１およびＢＬ点灯パターン画像格納領域２２２の容量を設定する。また、メモリ容量算出部２１３は、メモリ２２０に、設定した容量の表示画像格納領域２２１、および、ＢＬ点灯パターン画像格納領域２２２を確保する。
【００４１】
（表示画像生成部）
表示画像生成部２１４は、外部から入力される映像データ、情報取得部２１１によって取得したテレビ１０の情報、および、フォーマット設定部２１２から通知される表示画像のフォーマットに基づいて、表示画像を生成する。
【００４２】
映像データの一例として、例えば、ＰＣ２０に接続されたチューナ（不図示）などを介して入力されるデジタル放送のＴＳ（トランスポートストリーム）データを挙げることができる。また、映像データの他の一例として、ＰＣ２０に接続されたネットワーク（不図示）を介してＹｏｕＴｕｂｅ（登録商標）などに代表される動画配信サイトから配信されるストリーミングデータなどを挙げることもできる。
【００４３】
なお、表示画像は、上記のようにＰＣ２０からテレビ１０に供給する映像信号が動画像である場合、当該映像信号を構成する１フレーム分の画像を指す。
【００４４】
また、表示画像は、外部から入力される映像データが、例えば、ＰＣ２０に接続されたネットワークを介して入力されるテキストデータなどの静止画像である場合には、当該静止画像を示す画像であってもよい。
【００４５】
表示画像生成部２１４は、生成した表示画像を、メモリ２２０の有する表示画像格納領域２２１に格納する。
【００４６】
（ＢＬ点灯パターン画像生成部）
ＢＬ点灯パターン画像生成部２１５は、テレビ１０のバックライト１３２の点灯パターンを制御するためのＢＬ点灯パターン画像（制御画像）を生成する。
【００４７】
具体的には、ＢＬ点灯パターン画像生成部２１５は、まず、フォーマット設定部２１２によって決定された表示画像の解像度、バックライト１３２を構成する光源の個数などに基づいて、ＢＬ点灯パターンを決定する。そして、ＢＬ点灯パターン画像生成部２１５は、決定したＢＬ点灯パターンを示すＢＬ点灯パターン画像を生成する。
【００４８】
なお、ＢＬ点灯パターン画像生成部２１５は、さらに、ＰＣ２０においてアクティブなウィンドウ（最前面に表示されているウィンドウ）の位置、マウスカーソルの位置、動画再生ウィンドウの位置などに基づいて、ＢＬ点灯パターンを決定してもよい。
【００４９】
ＢＬ点灯パターン画像生成部２１５は、生成したＢＬ点灯パターン画像を、メモリ２２０の有するＢＬ点灯パターン画像格納領域２２２に格納する。
【００５０】
なお、ＢＬ点灯パターン画像生成部２１５は、ＢＬ点灯パターン画像を、表示画像格納領域２２１に格納されている、当該ＢＬ点灯パターン画像と対応する表示画像と予め関連付けた状態で、ＢＬ点灯パターン画像格納領域２２２に格納すればよい。
【００５１】
（合成部）
合成部２１６は、表示画像格納領域２２１に格納されている表示画像と、ＢＬ点灯パターン画像格納領域２２２に格納されているＢＬ点灯パターン画像とを合成し、合成画像を生成する。合成部２１６は、まず、表示画像格納領域２２１から表示画像を抽出し、当該抽出した表示画像と関連付けられているＢＬ点灯パターン画像をＢＬ点灯パターン画像格納領域２２２から抽出する。合成部２１６は、次に、抽出した表示画像とＢＬ点灯パターン画像とを合成して、合成画像を生成する。なお、合成画像の生成の詳細については、図面を変えて後述する。
【００５２】
なお、ＰＣ２０は、映像信号と共に、音声信号をテレビ１０に供給してもよい。この場合には、ＰＣ２０は、映像データと共に外部から入力された音声データを、映像データから上述した合成画像が生成されるまで遅延させた後、音声信号として、合成画像を含む映像信号と共にテレビ１０に供給すればよい。
【００５３】
〔表示装置の構成〕
次に、本実施形態に係る表示システム１の備えるテレビ１０について、図３を参照して説明する。図３は、本実施形態に係る表示システム１の備えるテレビ１０の構成の概略を示すブロック図である。
【００５４】
テレビ１０は、図３に示すように、外部入力端子１０１、地上デジタル放送チューナ１０２、衛星放送チューナ１０３、録画再生部１０４、ＢＤドライブ１０５、映像セレクタ１０６、映像処理回路１０７、ＯＳＤ（On-Screen Display）生成部１０８、ＬＣＤコントローラ１０９（表示手段）、ＬＣＤ（Liquid Crystal Display）１１０（表示部）、音声セレクタ１１１、音声処理回路１１２、アンプ１１３、スピーカ１１４、ＵＳＢインターフェース１１５、ＲＯＭ１１６、ＲＡＭ１１７、制御部１１８、赤外線受光部１１９、カメラ１２０、ＨＤドライブ１２１、分離部１３０（分離手段）、ＢＬ（Back Light）コントローラ（バックライト制御手段）、および、バックライト１３２を備えている。図３においては、映像信号の経路を実線で、音声信号の経路を１点鎖線で、データや制御信号の経路（バス）を太線で示している。
【００５５】
外部入力端子１０１は、ＰＣ２０をテレビ１０を有線接続するためのＨＤＭＩインターフェースであり、ＨＤＭＩケーブル３０を介してＰＣ２０と有線通信を行う。なお、本実施形態では、外部入力端子１０１がＨＤＭＩインターフェースである場合を例に挙げて説明するが、これに限定されるものではない。例えば、外部入力端子１０１は、ＵＳＢ、ＩＥＥＥ１３９４、および、ＬＡＮなどの有線接続用インターフェースに置換することが可能である。
【００５６】
また、外部入力端子１０１は、それぞれ独立した端子である映像入力端子と音声入力端子とを含む入力端子であってもよい。映像入力端子は、映像信号を入力するためのものであり、例えば、ＤＶＩ端子であればよい。音声入力端子は、音声信号を入力するためのものであり、例えば、Ｓ／ＰＤＩＦ端子であればよい。
【００５７】
また、本実施形態では、外部入力端子１０１が有線接続するためのインターフェースである場合を例に挙げて説明したが、これに限定されるものではなく、無線接続するためのインターフェースであってもよい。なお、外部入力端子１０１が無線通信するためのインターフェースである場合の無線通信としては、例えば、ＷｉＦｉ−Ｄｉｓｐｌａｙ、赤外線通信、ＴｒａｎｓｆｅｒＪｅｔ、Ｂｌｕｅｔｏｏｔｈ（登録商標）、及び、ＩＥＥＥ８０２１１などを挙げることができる。
【００５８】
地上デジタル放送チューナ１０２は、地上デジタル放送により放送される放送番組を受信するためのチューナである。地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００５９】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給される。なお、地上デジタル放送チューナ１０２が何れのチャンネルを復調対象として選択するかは、制御部１１８により制御される。
【００６０】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ２ストリームを録画再生部１０４に供給する。
【００６１】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００６２】
衛星放送チューナ１０３は、衛星放送により放送される放送番組を受信するためのチューナである。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００６３】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給される。なお、衛星放送チューナ１０３が何れのチャンネルを介して伝送されるＭＰＥＧ２データストリームを復調するかは、制御部１１８により選択される。
【００６４】
なお、本実施形態における衛星放送チューナ１０３は、地上デジタル放送チューナ１０２と同様、異なるチャンネルを介して放送される２つの放送番組を同時に受信することが可能なダブルチューナであることが好ましい。
【００６５】
録画再生部１０４は、録画部と再生部とを含む。録画部は、地上デジタル放送チューナ１０２および衛星放送チューナ１０３の何れかからＭＰＥＧ２ストリームを取得し、取得したＭＰＥＧ２ストリームを記録装置に書き込む。録画部は、テレビ１０に内蔵されたＢＤドライブ１０５、テレビ１０に内蔵されたＨＤドライブ１２１、および、ＵＳＢインターフェース１１５に接続されたＵＳＢ−ＨＤ（ハードディスク）ドライブ（不図示）などを、ＭＰＥＧ２ストリームを記録するための記録装置として使用することができる。再生部は、記録装置からＭＰＥＧ２ストリームを読み出し、読み出したＭＰＥＧ２ストリームから映像信号および音声信号を復号する。再生部により復号された映像信号および音声信号は、それぞれ、映像セレクタ１０６および音声セレクタ１１１に供給される。
【００６６】
映像セレクタ１０６には、上述した４種類の映像信号が供給される。すなわち、（１）外部入力端子１０１から入力された映像信号、（２）地上デジタル放送チューナ１０２にて復号された映像信号、（３）衛星放送チューナ１０３にて復号された映像信号、および、（４）録画再生部１０４（特に再生部）にて復号された映像信号が入力される。映像セレクタ１０６は、上記（１）〜（４）の映像信号のうちの何れか１つを選択する。映像セレクタ１０６によって選択された映像信号は、後述する分離部１３０を介して映像処理回路１０７に供給される。なお、映像セレクタ１０６が何れの映像信号を選択するかは、制御部１１８によって制御される。
【００６７】
映像処理回路１０７は、分離部１３０を介して映像セレクタ１０６から供給された映像信号に画質調整処理及びホワイトバランス調整処理を施す。また、映像処理回路１０７は、分離部１３０を介して映像セレクタ１０６から供給された映像信号にスケーリング処理を施す。
【００６８】
ここで、画質調整処理とは、例えば、映像信号を加工することによって、その映像信号が表す映像の輝度、シャープネス、および、コントラストの少なくとも何れかを変更することを指す。
【００６９】
また、ホワイトバランス調整処理とは、テレビ１０の表示する白色が、ユーザにとって所望の白色となるよう、映像処理回路１０７により、ＲＧＢ各色のゲインを調整する処理のことを指す。
【００７０】
また、スケーリング処理とは、映像信号を加工することによって、その映像信号が表す映像のサイズを拡大または縮小することを指す。映像のサイズの拡大及び縮小としては、例えば、アスペクト比を維持した拡大及び縮小、アスペクト比を維持しない拡大及び縮小、及び、映像の中心部はほぼそのままで、周辺部を拡大する非線形の拡大などを例に挙げることができる。
【００７１】
映像処理回路１０７によって加工された映像信号は、ＬＣＤコントローラ１０９に供給される。なお、映像処理回路１０７が画質およびサイズをどのように変更するかは、制御部１１８によって制御される。
【００７２】
また、映像処理回路１０７は、画質調整処理、ホワイトバランス調整処理、及び、スケーリング処理の少なくとも何れかが施された映像信号、又は、生成した静止画像に、ＯＳＤ生成部１０８から供給されるＯＳＤデータを重畳して、ＬＣＤコントローラ１０９に供給する。
【００７３】
ＯＳＤ生成部１０８は、制御部１１８から供給されたＯＳＤデータからＯＳＤ画像を生成（レンダリング）する。ＯＳＤ生成部１０８が生成するＯＳＤ画像としては、電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７に供給され、映像処理回路１０７によって映像信号に重畳され、ＬＣＤコントローラ１０９に供給される。
【００７４】
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００７５】
音声セレクタ１１１には、上述した４種類の音声信号が供給される。すなわち、（１）外部入力端子１０１から入力された音声信号、（２）地上デジタル放送チューナ１０２にて復号された音声信号、（３）衛星放送チューナ１０３にて復号された音声信号、および、（４）録画再生部１０４（特に再生部）にて復号された音声信号が入力される。音声セレクタ１１１は、上記（１）〜（４）の音声信号のうちの何れか１つを選択する。
【００７６】
音声セレクタ１１１によって選択された音声信号は、音声処理回路１１２に供給される。なお、音声セレクタ１１１が何れの音声信号を選択するかは、制御部１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００７７】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、制御部１１８によって制御される。
【００７８】
アンプ１１３は、音声処理回路１１２から供給された音声信号に基づいて、その音声信号が表す音声を出力するようにスピーカ１１４を駆動する。
【００７９】
制御部１１８は、赤外線受光部１１９が受信したリモコン信号、および、カメラ１２０が撮像した画像に応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００８０】
また、制御部１１８は、各放送局から提供されるＥＰＧ（Electronic Program Guide）データから放送番組テーブルを作成する機能などを有している。制御部１１８なお、各放送局から提供されるＥＰＧデータは、例えば、地上デジタル放送チューナ１０２又は衛星放送チューナ１０３を用いて取得してもよいし、図示しないイーサーネット（登録商標）インターフェースを介して、インターネットに接続されたサーバから取得してもよい。
【００８１】
ＲＯＭ１１６は、制御部１１８によって実行されるプログラムなどの固定データが格納される、読み出し可能かつ書き込み不能なメモリである。一方、ＲＡＭ１１７は、制御部１１８が演算のために参照するデータや、制御部１１８が演算によって生成したデータなどの可変データが格納される、読み出し可能かつ書き込み可能なメモリである。例えば、放送番組テーブルは、このＲＡＭ１１７に格納される。
【００８２】
ＵＳＢインターフェース１１５は、外部装置を有線接続するためのインターフェースであり、具体的には、ＵＳＢ機器をテレビ１０に接続するためのインターフェースである。テレビ１０に接続可能なＵＳＢ機器としては、ＵＳＢ−ＨＤドライブ、ＢＤドライブ、及び、ＤＶＤドライブなどの記録装置が代表的である。
【００８３】
また、外部装置を接続するためのインターフェースも、ＵＳＢインターフェース１１５に限定されない。すなわち、ＵＳＢインターフェース１１５は、例えば、ＡＴＡ、ＡＴＡＰＩ、ＩＥＥＥ１３９４、ＨＤＭＩ、および、ＬＡＮなどの有線接続用インターフェースに置換することが可能である。ＳＤカードが接続されている場合には、このＳＤカードを外部装置として使用してもよい。要するに、外部装置を接続するためのインターフェースは、何を用いてもよい。
【００８４】
また、本実施形態においては、地上上記デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００８５】
（分離部）
分離部１３０は、映像セレクタ１０６から供給された映像信号が、外部入力端子１０１を介してＰＣ２０から供給された映像信号である場合、映像信号に含まれる合成画像から、表示画像とＢＬ点灯パターン画像とを分離する。分離部１３０は、合成画像から分離した表示画像を映像信号として映像処理回路１０７に供給し、分離したＢＬ点灯パターン画像をＢＬコントローラに供給する。
【００８６】
また、分離部１３０は、映像セレクタ１０６から供給された映像信号が、外部入力端子１０１以外の各部から供給された映像信号である場合には、映像信号をそのまま映像処理回路１０７に供給する。
【００８７】
なお、合成画像から表示画像とＢＬ点灯パターン画像とを分離する方法としては、例えば、合成画像のうち、ＰＣ２０から通知されるフォーマットの解像度によって指定される領域以外の領域をＢＬ点灯パターン画像として分離する方法などを挙げることができる。
【００８８】
また、合成画像から表示画像とＢＬ点灯パターン画像とを分離する方法は、これに限定されるものではなく、例えば、合成画像を画像解析し、ＢＬ点灯パターン画像であると判定した部分をＢＬ点灯パターン画像として合成画像から分離する方法などを採用してもよい。また、ＨＤＭＩケーブル３０のＣＥＣラインを介して合成画像の構成情報をＰＣ２０から取得し、取得した合成画像の構成情報に基づいて、合成画像から表示画像とＢＬ点灯パターン画像とを分離する方法を採用することもできる。
【００８９】
さらに、分離部１３０は、ＰＣ２０からフォーマットが通知されなくとも、テレビ１０が表示可能な規定の解像度を用いて、合成画像から表示画像とＢＬ点灯パターン画像とを分離してもよい。この場合には、分離部１３０は、表示可能な解像度を超えた解像度の映像が入力されたときに、表示可能な解像度によって指定される領域以外の領域をＢＬ点灯パターン画像として分離すればよい。
【００９０】
（バックライト、ＢＬコントローラ）
バックライト１３２は、点灯パターンを個別に制御可能な、複数の光源から構成されている。本実施形態では、バックライト１３２が、横（行方向）３２個、縦（列方向）１８個（３２×１８個）の光源から構成されている場合を例に挙げて説明するが、これに限定されるものではない。
【００９１】
ＢＬコントローラ１３１は、分離部１３０から供給されたＢＬ点灯パターン画像に基づいて、ＢＬ点灯パターン画像の示す点灯パターンでバックライト１３２が点灯するよう、バックライト１３２を構成する複数の光源を個別に駆動する。
【００９２】
なお、バックライト１３２を構成する光源は、例えば、発光ダイオード（ＬＥＤ：Light-emitting Diode）などによって実現することができるが、これに限定されるものではない。
【００９３】
〔合成画像の生成〕
次に、本実施形態に係るＰＣ２０における、合成画像生成処理について、図４および図５を参照して説明する。図４は、本実施形態に係る表示システム１の備えるＰＣ２０における合成画像生成処理の流れを示すフローチャートである。
【００９４】
また、図５は、本実施形態に係る表示システム１の備えるＰＣ２０において生成される合成画像の一例を示す図である。図５（ａ）は、表示画像の一例を示し、（ｂ）は、ＢＬ点灯パターン画像の一例を示し、（ｃ）は、合成画像の一例を示している。
【００９５】
（合成画像生成処理）
図４に示すように、ＰＣ２０は、テレビ１０が接続されると、情報取得部２１１によって、テレビ１０の情報を取得する（ステップＳ１０１）。本実施形態では、テレビ１０の備えるＬＣＤ１１０が、横（行方向）１３６６画素、縦（列方向）７６８画素（１３６６×７６８画素）の解像度を有する場合を例に挙げて説明するが、これに限定されるものではない。
【００９６】
テレビ１０の情報を取得すると、フォーマット設定部２１２は、テレビ１０に供給する映像信号に含まれる表示画像のフォーマットを設定する。また、フォーマット設定部２１２は、設定した表示画像のフォーマットを、通信部２３０を介してテレビ１０に通知する（ステップＳ１０２）。
【００９７】
なお、ＬＣＤ１１０の解像度は１３６６×７６８であるため、フォーマット設定部２１２は、表示画像のフォーマットは、１３６６×７６８以下の解像度であれば、適宜設定することができる。
【００９８】
表示画像のフォーマットが設定されると、メモリ容量算出部２１３は、テレビ１０の情報および表示画像のフォーマットに基づいて表示画像格納領域２２１の容量を設定し、メモリ２２０に、設定した容量の表示画像格納領域２２１を確保する（ステップＳ１０３）。また、メモリ容量算出部２１３は、テレビ１０の情報および表示画像のフォーマットに基づいてＢＬ点灯パターン画像格納領域２２２の容量を設定し、メモリ２２０に、設定した容量のＢＬ点灯パターン画像格納領域２２２を確保する（ステップＳ１０４）。
【００９９】
表示画像格納領域２２１およびＢＬ点灯パターン画像格納領域２２２を確保すると、表示画像生成部２１４は、外部から入力された映像データから、１フレーム毎の表示画像を生成する（ステップＳ１０５）。また、表示画像生成部２１４は、生成した表示画像を、メモリ２２０の有する表示画像格納領域２２１に格納する（ステップＳ１０６）。
【０１００】
図５（ａ）に、表示画像生成部２１４によって生成された表示画像の一例を示す。ＬＣＤ１１０の解像度は１３６６×７６８であるため、表示画像生成部２１４は、図５（ａ）に示すように、１３６６×７６８の解像度の表示画像を生成し、表示画像格納領域２２１に格納する。
【０１０１】
表示画像が生成されると、ＢＬ点灯パターン画像生成部２１５は、表示画像の解像度、テレビ１０の備えるバックライト１３２の個数に基づき、ＢＬ点灯パターン画像を生成する（ステップＳ１０７）。また、ＢＬ点灯パターン画像生成部２１５は、生成したＢＬ点灯パターン画像を、対応する表示画像と関連付けて、メモリ２２０の有するＢＬ点灯パターン画像格納領域２２２に格納する（ステップＳ１０８）。
【０１０２】
図５（ｂ）に、ＢＬ点灯パターン画像生成部２１５によって生成されたＢＬ点灯パターン画像の一例を示す。例えば、バックライト１３２を構成する光源の個数が３２×１８個である場合には、図５（ｂ）に示すように、ＢＬ点灯パターン画像生成部２１５は、３２×１８の解像度のＢＬ点灯パターン画像を生成し、ＢＬ点灯パターン画像格納領域２２２に格納する。
【０１０３】
なお、図５（ｂ）に示すＢＬ点灯パターン画像の一例では、「○」がバックライト１３２を構成する各光源を示しており、「○」の色の濃淡によって各光源の輝度を示している。図７（ｃ）に示す一例では、「○」の色が薄いほど輝度が高いことを示し、「○」の色が濃いほど輝度が低いことを示している。
【０１０４】
図５（ｂ）に示すＢＬ点灯パターン画像は、図５（ａ）に示す表示画像のうち、左上に位置する画像領域Ａに対応するバックライト１３２の領域Ｂに含まれる光源の輝度を高くし、領域Ｂから離れるにつれて光源の輝度を低くすることを示している。
【０１０５】
表示画像およびＢＬ点灯パターン画像が生成され、メモリ２２０に格納されると、合成部２１６は、表示画像および該表示画像に関連付けられたＢＬ点灯パターン画像をメモリ２２０から読み出し、合成する。
【０１０６】
図５（ｃ）に、合成部２１６によって生成された合成画像の一例を示す。合成部２１６は、図５（ｂ）に示すように、解像度１３６６×７６８の表示画像と、解像度３２×１８のＢＬ点灯パターン画像とを合成し、１３９８×７６８に解像度が拡張された合成画像を生成する（ステップＳ１０９）。
【０１０７】
合成画像が生成されると、制御部２１０は、合成画像を映像信号として、通信部２３０を介してテレビ１０に供給する（ステップＳ１１０）。
【０１０８】
ＰＣ２０は、映像信号の供給の停止を指示するユーザ指示を受け付けるまで、ステップＳ１０５〜Ｓ１１０の処理を繰り返すことにより、テレビ１０に対する映像信号の供給を継続する。
【０１０９】
なお、本実施形態では、テレビ１０がＰＣ２０に接続された時点で合成画像生成処理が開始される場合を例に挙げて説明したが、テレビ１０がすでにＰＣ２０に接続されている状態で合成画像生成処理が開始されてもよい。このような場合としては、例えば、テレビ１０における表示を、地上デジタル放送チューナ１０２によって受信される映像信号からＰＣ２０から供給される映像信号に切り替える場合などを挙げることができる。
【０１１０】
この場合、テレビ１０がＰＣ２０に接続されたときに、ＰＣ２０おいてステップＳ１０１〜Ｓ１０４の処理はすでに実行されている。このため、ＰＣ２０は、合成画像生成処理が開始された時点から、ステップＳ１０５〜Ｓ１１０の処理を繰り返すことにより、テレビ１０に対する映像信号の供給を継続すればよい。
【０１１１】
〔表示画像の表示〕
次に、本実施形態に係るテレビ１０における表示画像の表示について、図６および図７を参照して説明する。図６は、本実施形態に係る表示システム１の備えるテレビ１０における表示処理の流れを示すフローチャートである。
【０１１２】
また、図７は、本実施形態に係る表示システム１の備えるテレビ１０において表示される表示画面の一例を示す図である。図７（ａ）は、合成画像の一例を示し、（ｂ）は、表示画像データの一例を示し、（ｃ）は、ＢＬ表示パターン画像の一例を示し、（ｄ）は、テレビ１０に最終的に表示される表示画面の一例を示している。
【０１１３】
（表示処理）
図６に示すように、テレビ１０は、ＰＣ２０に接続されると、テレビ１０の情報をＰＣ２０に通知する（ステップＳ１２１）。
【０１１４】
また、テレビ１０は、ＰＣ２０から供給される映像信号に含まれる表示画像のフォーマットの通知を取得する（ステップＳ１２２）。
【０１１５】
次に、テレビ１０は、外部入力端子１０１を介してＰＣ２０からの映像信号の供給を受け付ける（ステップＳ１２３）。
【０１１６】
図７（ａ）に、ＰＣ２０から供給される映像信号に含まれる合成画像の一例を示す。図７（ａ）に示すように、合成画像は、表示画像とＢＬ点灯パターン画像とが合成され、一つの画像となっている。
【０１１７】
テレビ１０は、ＰＣ２０から映像信号が供給されると、分離部１３０において、映像信号に含まれる合成画像から、表示画像とＢＬ点灯パターン画像とを分離する（ステップＳ１２４）。
【０１１８】
図７（ｂ）および（ｃ）に、合成画像から分離された表示画像およびＢＬ点灯パターン画像の一例を示す。図７（ｂ）および（ｃ）に示すように、分離部１３０は、合成画像を、表示画像を示す画像と、ＢＬ点灯パターン画像を示す画像とに分離する。
【０１１９】
図７（ｃ）に示すように、ＢＬ点灯パターン画像は、図７（ｂ）に示す表示画像のうち、左上に位置する画像領域Ａに対応するバックライト１３２の領域Ｂに含まれる光源の輝度を高くし、領域Ｂから離れるほど光源の輝度を低くすることを示している。
【０１２０】
分離部１３０は、合成画像から分離した各画像のうち、表示画像を、映像信号として映像処理回路１０７を介してＬＣＤコントローラ１０９に供給する。ＬＣＤコントローラ１０９は、分離部１３０から供給される映像信号に含まれる表示画像に基づいてＬＣＤ１１０を駆動し、表示画像をＬＣＤ１１０に表示する（ステップＳ１２５）。
【０１２１】
また、分離部１３０は、合成画像から分離した各画像のうち、ＢＬ点灯パターン画像をＢＬコントローラ１３１に供給する。ＢＬコントローラ１３１は、分離部１３０から供給されるＢＬ点灯パターン画像に基づいてバックライト１３２を駆動し、バックライト１３２を構成する各光源の点灯を個別に制御する（ステップＳ１２６）。
【０１２２】
図７（ｄ）に、テレビ１０に最終的に表示される表示画面の一例を示す。図７（ｄ）に示すように、テレビ１０に最終的に表示される表示画面は、ＬＣＤ１１０に表示される表示画像のうち、ＢＬ点灯パターン画像によって高い輝度が示される範囲は明るく表示され、低い輝度が示された範囲は暗く表示されることになる。
【０１２３】
図７（ｄ）に示すように、テレビ１０に最終的に表示される表示画像は、図７（ｃ）に示すＢＬ点灯パターン画像に基づき、表示画像のうち左上に位置する画像領域Ａが明るく表示され、画像領域Ａから離れるにつれて暗くなるよう表示される。
【０１２４】
テレビ１０は、ＰＣ２０から供給される映像信号の表示の停止を指示するユーザ指示を受け付けるまで、ステップＳ１２３〜Ｓ１２６までの処理を繰り返すことにより、ＰＣ２０から供給される映像信号の表示を継続する。
【０１２５】
なお、本実施形態では、テレビ１０がＰＣ２０に接続された時点で表示処理が開始される場合を例に挙げて説明したが、テレビ１０がすでにＰＣ２０に接続されている状態で表示処理が開始されてもよい。この場合には、テレビ１０がＰＣ２０に接続されたときに、テレビ１０においてステップＳ１２１〜Ｓ１２２の処理はすでに実行されている。このため、テレビ１０は、表示処理が開始された時点から、ステップＳ１２３〜Ｓ１２６の処理を繰り返すことにより、ＰＣ２０から供給される映像信号の表示を継続すればよい。
【０１２６】
（表示システムの動作）
次に、ＰＣ２０における合成画像生成処理、および、テレビ１０における表示処理のタイミングについて、図８を参照して説明する。図８は、本実施形態に係る表示システム１の動作を示すシーケンス図である。
【０１２７】
図８に示すように、テレビ１０がＰＣ２０に接続されると、テレビ１０は、テレビ１０の情報をＰＣ２０に通知し（図６におけるステップＳ１２１）、ＰＣ２０は、テレビ１０から、テレビ１０の情報を取得する（図４におけるステップＳ１０２）。
【０１２８】
テレビ１０の情報を取得すると、ＰＣ２０は、表示画像のフォーマットを設定する。ＰＣ２０は、設定した表示画像のフォーマット（図８における「フォーマット情報」）をテレビ１０に通知し（図４におけるステップＳ１０２）、テレビ１０は、ＰＣ２０からフォーマット情報を取得する（図６におけるステップＳ１２２）。
【０１２９】
また、ＰＣ２０は、テレビ１０にフォーマット情報を通知すると、ＰＣ２０において、メモリ２２０に格納領域（表示画像格納領域２２１、および、ＢＬ点灯パターン画像格納領域２２２）を確保する（図４におけるステップＳ１０３〜Ｓ１０４）。また、ＰＣ２０は、合成画像を生成する（図４におけるステップＳ１０５〜Ｓ１０９）。
【０１３０】
ＰＣ２０は、生成した合成画像を映像信号としてテレビ１０に供給し（図４におけるステップＳ１１０）、テレビ１０は、ＰＣ２０から映像信号を取得する（図６におけるステップＳ１２３）。
【０１３１】
映像信号を取得すると、テレビ１０は、表示画像をＬＣＤ１１０に表示し、ＢＬ点灯パターン画像に基づきバックライト１３２を駆動する（図６におけるステップＳ１２４〜Ｓ１２６）。
【０１３２】
上述のように、ＰＣ２０は、テレビ１０の備えるバックライト１３２の点灯パターンを制御するためのＢＬ点灯パターン画像を生成し、テレビ１０に供給する。これによって、高い処理能力を必要とするＢＬ点灯パターンの演算を、予め演算能力の高い制御部２１０（例えばＣＰＵおよび専用グラフィックＬＳＩなど）を備えるＰＣ２０において実行することができる。
【０１３３】
また、テレビ１０は、ＢＬ点灯パターン画像がＰＣ２０から供給されるため、ＢＬ点灯パターンの演算を行わなくともよく、テレビ１０における処理量を抑制することができる。このため、テレビ１０は、ＢＬ点灯パターンを演算するために演算能力の高いＰＣＵなどを備える必要がないため、テレビ１０のコストの増大を防ぐこともできる。
【０１３４】
さらに、ＰＣ２０は、ＢＬ点灯パターン画像を、表示画像生成部２１４によって生成した表示画面に基づいて生成することができるため、テレビ１０において表示画像に基づいてＢＬ点灯パターンを演算する場合よりも、より容易に使用状況に合わせた最適なパターンを生成することができる。
【０１３５】
また、ＰＣ２０は、表示画像に含まれる、所定の領域のみが明るくなるようにバックライト１３２を構成する光源の点灯制御が行われるようなＢＬ点灯パターン画像を生成することもできる。所定の領域とは、例えば、表示画像に含まれる、マウスカーソルの位置の周辺、アクティブなウィンドウ、動画像の表示領域、または、ネット電話およびメールの着信を示す通知部分（着信アイコンなど）などを挙げることができる。
【０１３６】
また、ＰＣ２０は、ＢＬ点灯パターン画像を映像信号としてテレビ１０に供給することができるため、従来から提供されている接続端子や、通信ケーブルなどを用いることができる。このため、ＰＣ２０は、新たな通信ケーブルおよび接続端子を使用することなく、テレビ１０におけるバックライトの点灯制御を容易に指示することができる。
【０１３７】
なお、ＰＣ２０は、ＢＬ点灯パターン画像生成部２１５によって、表示画像に応じたＢＬ点灯パターン画像を自動で生成することができるため、ユーザにバックライトの明るさに関する煩雑な操作を強いることもない。
【０１３８】
本実施形態では、表示装置がテレビ１０によって実現されている場合を例に挙げて説明したが、これに限定されるものではなく、例えば、４Ｋ２Ｋテレビ、ディスプレイ装置、および、電子黒板などによって実現されていてもよい。
【０１３９】
また、本実施形態では、映像信号供給装置がＰＣ２０によって実現されている場合を例に挙げて説明したが、これに限定されるものではなく、例えば、セットトップボックス、アンドロイド搭載型のセットトップボックス、および、ＨＤＭＩ出力付きの携帯電話端末、などによって実現されていてもよい。
【０１４０】
＜実施形態２＞
次に、本発明の他の実施形態について、図９から図１１を参照して説明する。まず、図９を参照して、本実施形態に係る表示システム１の備えるＰＣ２０’の構成について説明する。図９は、本実施形態に係る表示システムの備えるＰＣ２０’の構成の概略を示すブロック図である。
【０１４１】
なお、説明の便宜上、実施形態１の構成要素と同様の機能を有する構成要素には同一の番号を付し、その説明を省略する。本実施形態では、主に、実施形態１との相違点について説明するものとする。
【０１４２】
〔ＰＣの構成〕
図９に示すように、本実施形態に係るＰＣ２０’は、制御部２１０’が、合成部２１６の代わりに出力切替部２１７（挿入手段）および出力切替制御部２１８を備えていること以外は、実施形態１に係るＰＣ２０と同じ構成である。
【０１４３】
（出力切替部）
出力切替部２１７は、通信部２３０を介してテレビ１０に供給される映像信号に含まれる表示画像のフレーム間に、ＢＬ点灯パターン画像を挿入する手段である。具体的には、出力切替部２１７は、映像信号に含まれる画像を、表示画像とＢＬ点灯パターン画像とで順次切り替える。
【０１４４】
出力切替部２１７は、映像信号に含まれる画像として表示画像を表示画像格納領域２２１から読み出すと、次に、該表示画像と関連付けられているＢＬ点灯パターン画像をＢＬ点灯パターン画像格納領域２２２から読み出す。また、出力切替部２１７は、ＢＬ点灯パターン画像を読み出すと、直前に読み出した表示画像の次の表示画像を表示画像格納領域２２１から読み出す。
【０１４５】
そして、出力切替部２１７は、読み出した各画像を、映像信号として、表示画像、該表示画像に関連付けられているＢＬ点灯パターン画像、該表示画像の次の表示画像の順で通信部２３０を介してテレビ１０に供給する。このようにして、ＢＬ点灯パターン画像は、映像信号として表示画像に挿入された状態でテレビ１０に供給される。
【０１４６】
なお、ＢＬ点灯パターン画像の挿入方法はこれに限定されるものではなく、出力切替部２１７は、例えば、５フレームなどの複数フレームの表示画像毎にＢＬ点灯パターン画像を挿入してもよい。
【０１４７】
（出力切替制御部）
出力切替制御部２１８は、出力切替部２１７における、ＢＬ点灯パターン画像の表示画像への挿入を制御する。
【０１４８】
例えば、出力切替制御部２１８は、６０Ｈｚのフレームレートで表示画像を出力している場合に、ＢＬ点灯パターンを１フレームの表示画像毎に送る場合、フレームレートを１２０Ｈｚに変更した上で、表示画像とＢＬ点灯パターン画像とが交互に出力されるよう、出力切替部２１７を制御する。
【０１４９】
なお、本実施形態では、ＢＬ点灯パターン画像が１フレーム毎に映像信号として出力（供給）される場合を例に挙げて説明するが、これに限定されるものではない。例えば、ＢＬ点灯パターン画像の出力タイミングは、２フレーム毎であってもよいし、１０フレーム毎であってもよい。この場合には、出力切替制御部２１８は、映像信号のフレームレートを適宜適切なフレームレートに設定すればよい。
【０１５０】
（分離部）
この場合には、テレビ１０の備える分離部１３０は、例えば、映像信号に含まれる画像から、予めＰＣ２０から通知されたフォーマットの解像度の画像を表示画像として分離すればよい。また、分離部１３０は、予めＰＣ２０から通知されたフォーマットの解像度以外の解像度の画像をＢＬ点灯パターン画像として分離すればよい。
【０１５１】
また、分離部１３０は、ＰＣ２０から、映像信号と共に、映像信号を構成する画像が表示画像であるかＢＬ点灯パターン画像であるかを示す画像情報を含む同期信号を取得してもよい。これにより、分離部１３０は、表示画像の解像度とＢＬ点灯パターン画像の解像度が全く同じ解像度である場合にも、同期信号に含まれる画像情報を参照することにより、表示画像とＢＬ点灯パターン画像とを分離することが可能となる。
【０１５２】
〔ＢＬ点灯パターン画像の挿入〕
次に、本実施形態に係るＰＣ２０’において生成される合成画像について、図１０を参照して説明する。図１０は、本実施形態に係る表示システム１の備えるＰＣ２０’においてＢＬ点灯パターン画像の挿入された映像信号の一例を示す図である。図１０（ａ）は、表示画像の一例を示し、（ｂ）は、ＢＬ点灯パターン画像の一例を示し、（ｃ）は、ＢＬ点灯パターン画像の挿入された映像信号の一例を示している。
【０１５３】
表示画像は、図１０（ａ）に示すように、出力切替部２１７によって６０Ｈｚのフレームレートで表示画像格納領域２２１から読み出される。
【０１５４】
ＢＬ点灯パターン画像もまた、図１０（ｂ）に示すように、出力切替部２１７によって６０ＨｚのフレームレートでＢＬ点灯パターン画像格納領域２２２から読み出される。
【０１５５】
出力切替部２１７によって読み出された表示画像およびＢＬ点灯パターン画像は、出力切替制御部２１８によってその出力タイミングを制御され、図１０（ｃ）に示すように、１２０Ｈｚのフレームレートで交互に映像信号として出力される。
【０１５６】
〔表示処理〕
次に、本実施形態に係るテレビ１０における表示画像の表示について、図１１を参照して説明する。図１１は、本実施形態に係る表示システム１の備えるテレビ１０において表示される表示画面の一例を示す図である。図１１（ａ）は、供給される映像信号の一例を示し、（ｂ）は、表示画像データの一例を示し、（ｃ）は、ＢＬ表示パターン画像の一例を示し、（ｄ）は、テレビ１０に最終的に表示される表示画面の一例を示している。
【０１５７】
図１１（ａ）に示すように、ＢＬ点灯パターン画像が１フレーム毎に表示画像に挿入された映像信号が、１２０Ｈｚのフレームレートでテレビ１０に入力される。
【０１５８】
分離部１３０は、入力された映像信号から、表示画像と、ＢＬ点灯パターン画像とを分離する。分離部１３０は、図１１（ｂ）に示すように、６０Ｈｚのフレームレートの表示画像を映像処理回路１０７を介してＬＣＤコントローラ１０９に供給する。また、分離部１３０は、図１１（ｃ）に示すように、６０ＨｚのフレームレートのＢＬ点灯パターン画像をＢＬコントローラ１３１に供給する。
【０１５９】
ＢＬコントローラ１３１は、分離部１３０から供給されるＢＬ点灯パターン画像に基づいてバックライト１３２を駆動し、バックライト１３２を構成する各光源の点灯を個別に制御する。これによって、図１１（ｄ）に示すように、テレビ１０に最終的に表示される表示画面は、ＬＣＤ１１０に表示される表示画像のうち、ＢＬ点灯パターン画像によって高い輝度が示される範囲は明るく表示され、低い輝度が示された範囲は暗く表示されることになる。
【０１６０】
〔まとめ〕
本発明の一態様に係る映像信号供給装置（ＰＣ２０）は、上述のように、表示装置（テレビ１０）に表示させる表示画像を含む映像信号を当該表示装置に供給する供給手段（通信部２３０）と、上記表示装置のバックライト１３２の点灯パターンを制御するための制御画像（ＢＬ点灯パターン画像）を生成する制御画像生成手段（ＢＬ点灯パターン画像生成部２１５）と、を備え、上記供給手段は、上記表示画像と上記制御画像とを上記映像信号として供給する、ことを特徴としている。
【０１６１】
本発明の一態様に係る映像信号供給装置の映像信号供給方法は、上述のように、映像信号供給装置の映像信号供給方法であって、表示装置に表示させる表示画像を含む映像信号を当該表示装置に供給する供給ステップと、上記表示装置のバックライト１３２の点灯パターンを制御するための制御画像を生成する制御画像生成ステップと、を備え、上記供給ステップにおいて、上記表示画像と上記制御画像とを上記映像信号として供給する、ことを特徴としている。
【０１６２】
上記の構成によれば、上記映像信号供給装置は、上記表示装置のバックライト１３２の点灯パターンを制御するための制御画像を、上記表示画像と共に上記映像信号として上記表示装置に供給する。このため、上記表示装置は、上記表示画像を表示する際のバックライト１３２の点灯パターンを、上記制御画像に基づいて制御することができる。つまり、上記表示装置は、上記表示画像を表示する際に、バックライト１３２の点灯パターンを制御するためのバックライト点灯パターンを算出する演算処理を行わなくとも、上記制御画像に基づいてバックライト１３２の点灯パターンを制御することができる。
【０１６３】
したがって、上記映像信号供給装置は、上記表示装置における処理量を抑制しつつ、表示装置におけるバックライト１３２の制御を可能にすることができる。
【０１６４】
また、本発明の一態様に係る映像信号供給装置は、上記制御画像と上記表示画像とを合成する合成手段（合成部２１６）をさらに備え、上記供給手段は、上記合成手段によって合成された合成画像を上記映像信号として供給する、ことが好ましい。
【０１６５】
上記の構成によれば、上記映像信号供給装置は、上記合成手段によって合成された合成画像を、上記映像信号として供給する。
【０１６６】
これによれば、上記映像信号供給装置は、新たな通信ケーブルなど用いなくとも、従来の通信方法や従来の通信ケーブルなどを用いることによって、表示装置に対する上記制御画像の供給を行うことができる。
【０１６７】
また、本発明の一態様に係る映像信号供給装置は、上記制御画像を、上記表示画像のフレーム間に挿入する挿入手段（挿入手段）をさらに備え、上記供給手段は、上記挿入手段によって上記表示画像のフレーム間に挿入された上記制御画像を、上記表示画像と共に上記映像信号として供給する、ことが好ましい。
【０１６８】
上記の構成によれば、上記映像信号供給装置は、上記挿入手段によって上記表示画像のフレーム間に挿入された上記制御画像を、上記表示画像と共に上記映像信号として供給する。
【０１６９】
これによれば、上記映像信号供給装置は、新たな通信ケーブルなど用いなくとも、従来の通信方法や従来の通信ケーブルなどを用いることによって、表示装置に対する上記制御画像の供給を行うことができる。
【０１７０】
また、本発明の一態様に係る映像信号供給装置において、上記制御画像生成手段は、上記表示装置のバックライト１３２を構成する光源の数に基づいて上記制御画像を生成する、ことが好ましい。
【０１７１】
上記の構成によれば、上記映像信号供給装置は、上記表示装置の備えるバックライト１３２を構成する光源の数に基づいて生成した制御画像を映像信号として上記表示装置に供給する。これによって、上記映像信号供給装置は、上記表示装置に最も適した制御画像を当該表示装置に供給することができる。
【０１７２】
本発明の一態様に係る表示装置（テレビ１０）は、上述のように、入力される映像信号から、表示画像と、バックライト１３２の点灯パターンを制御するための制御画像（ＢＬ点灯パターン画像）とを分離する分離手段（分離部１３０）と、上記分離手段によって分離された上記表示画像を表示部（ＬＣＤ１１０）に表示する表示手段（ＬＣＤコントローラ１０９）と、上記分離手段によって分離された上記制御画像に基づいて上記表示部のバックライト１３２を制御するバックライト制御手段（ＢＬコントローラ）と、を備えている、ことを特徴としている。
【０１７３】
本発明の一態様に係る表示装置の表示方法は、表示装置の表示方法であって、入力される映像信号から、表示画像と、バックライト１３２の点灯パターンを制御するための制御画像とを分離する分離ステップと、上記分離ステップにおいて分離された上記表示画像を表示部に表示する表示ステップと、上記分離ステップにおいて分離された上記制御画像に基づいて上記表示部のバックライト１３２を制御するバックライト制御ステップと、を含んでいる、ことを特徴としている。
【０１７４】
上記の構成によれば、上記表示装置は、上記映像信号として入力される上記表示画像に基づいて表示画像を表示し、上記映像信号として入力される上記制御画像に基づいて上記バックライト１３２の点灯パターンを制御する。つまり、上記表示装置は、上記表示画像を表示する際に、バックライト１３２の点灯パターンを制御するためのバックライト点灯パターンを算出する演算処理を行わなくとも、上記制御画像に基づいてバックライト１３２の点灯パターンを制御することができる。
【０１７５】
したがって、上記表示装置は、当該表示装置における処理量を抑制しつつ、バックライト１３２の制御を実行することができる。
【０１７６】
また、上記表示装置を備えていることを特徴とするテレビジョン受像機、および、上記映像信号供給装置と上記表示装置とを備えていることを特徴とする表示システム１も、本発明の範疇に含まれる。
【０１７７】
また、本発明の一態様に係る映像信号供給装置を動作させるためのプログラムであって、コンピュータを上記の各手段として機能させることを特徴とするプログラム、本発明の一態様に係る表示装置を動作させるためのプログラムであって、コンピュータを上記の各手段として機能させることを特徴とするプログラム、及び、これらのプログラムを記録したコンピュータ読み取り可能な記録媒体もまた、本発明の範疇に含まれる。
【０１７８】
〔ソフトウェアによる実現例〕
最後に、テレビ１０およびＰＣ２０、２０’の各ブロック、特にテレビ１０の備える制御部１１８、及び、テレビ１０の備える制御部２１０、２１０’は、集積回路（ＩＣチップ）上に形成された論理回路によってハードウェア的に実現してもよいし、ＣＰＵ（Central Processing Unit）を用いてソフトウェア的に実現してもよい。
【０１７９】
後者の場合、テレビ１０およびＰＣ２０、２０’は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０およびＰＣ２０、２０’の制御プログラムのプログラムコード（実行形式プログラム、中間コードプログラム、ソースプログラム）をコンピュータで読み取り可能に記録した記録媒体を、上記テレビ１０およびＰＣ２０、２０’に供給し、そのコンピュータ（またはＣＰＵやＭＰＵ）が記録媒体に記録されているプログラムコードを読み出し実行することによっても、達成可能である。
【０１８０】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１８１】
また、テレビ１０およびＰＣ２０、２０’を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１８２】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１８３】
本発明の表示装置は、テレビジョン受像機、ディスプレイ装置、および、電子黒板などに好適に適用することができる。また、本発明の映像信号供給装置は、パーソナルコンピュータ、および、セットトップボックスなどに好適に適用することができる。
【符号の説明】
【０１８４】
１                表示システム
１０              テレビ（表示装置）
２０、２０’      ＰＣ（映像信号供給装置）
３０              ＨＤＭＩケーブル
１０９            ＬＣＤコントローラ（表示手段）
１１０            ＬＣＤ（表示部）
１１８            制御部
１３０            分離部（分離手段）
１３１            ＢＬコントローラ（バックライト制御手段）
１３２            バックライト
２１０、２１０’  制御部
２１１            情報取得部
２１２            フォーマット設定部
２１３            メモリ容量算出部
２１４            表示画像生成部
２１５            ＢＬ点灯パターン画像生成部（制御画像生成手段）
２１６            合成部（合成手段）
２１７            出力切替部（挿入手段）
２１８            出力切替制御部
２２０            メモリ
２２１            表示画像格納領域
２２２            ＢＬ点灯パターン画像格納領域
２３０            通信部（供給手段）
【図１】
2014066928.tif 000003
【図２】
2014066928.tif 000004
【図３】
2014066928.tif 000005
【図４】
2014066928.tif 000006
【図５】
2014066928.tif 000007
【図６】
2014066928.tif 000008
【図８】
2014066928.tif 000009
【図９】
2014066928.tif 000010
【図１０】
2014066928.tif 000011
【図７】
2014066928.tif 000012
【図１１】
2014066928.tif 000013